(57)【要約】【課題】  検索ユーザが入力したコンテンツの種類別数量に対する比率に対応する所定の感性コードを用いて登録ユーザが登録した類似する感性コードのコンテンツまたはコンテンツのリストを抽出し、これを検索ユーザに提供する。【解決手段】  所定のアルバムに含まれた第１のマルチメディアコンテンツの種類別数量の比率を分析する分析部と、前記分析結果に従って前記比率に対応する所定の感性コードを生成する感性コード生成部と、前記生成された感性コードに対応する第２のマルチメディアコンテンツのリストを抽出するコンテンツ抽出部及び前記リスト及び前記リストに含まれた第２のマルチメディアコンテンツのうち少なくとも１つを送信する送受信部を含む。【選択図】      図３
2011060302.tif 000002
【特許請求の範囲】
【請求項１】
所定のアルバムに含まれた第１のマルチメディアコンテンツの種類別数量の比率を分析する分析部と、
前記分析結果に従って前記比率に対応する所定の感性コードを生成する感性コード生成部と、
前記生成された感性コードに対応する第２のマルチメディアコンテンツのリストを抽出するコンテンツ抽出部と、
前記リスト及び前記リストに含まれた第２のマルチメディアコンテンツのうち少なくとも１つを送信する送受信部と、を含むことを特徴とするマルチメディアコンテンツを提供する装置。
【請求項２】
前記種類は、ジャンル、年齢帯、時間、フィーリング、天気、状況、題目、アーティスト及び歌詞のうち少なくとも１つを含むことを特徴とする請求項１に記載のマルチメディアコンテンツを提供する装置。
【請求項３】
前記分析部は、少なくとも１つ以上の前記種類に対する前記第１のマルチメディアコンテンツの数量の比率を分析することを特徴とする請求項２に記載のマルチメディアコンテンツを提供する装置。
【請求項４】
前記感性コードは、前記種類別数量の比率で前記第１のマルチメディアコンテンツを含む前記アルバムまたは前記第１のマルチメディアコンテンツを登録したユーザに与えられることを特徴とする請求項１に記載のマルチメディアコンテンツを提供する装置。
【請求項５】
前記生成された感性コードと類似する感性コードを所定のグループで構成し、前記グループに対するウェブサービスを生成するグループサービス生成部をさらに含むことを特徴とする請求項１に記載のマルチメディアコンテンツを提供する装置。
【請求項６】
前記ウェブサービスは、オンライン対話及びマルチメディアコンテンツ共有を含むことを特徴とする請求項５に記載のマルチメディアコンテンツを提供する装置。
【請求項７】
前記送受信部は、前記グループに含まれた感性コードを持つユーザに前記ウェブサービスを送信することを特徴とする請求項５に記載のマルチメディアコンテンツを提供する装置。
【請求項８】
所定のアルバムに含まれた第１のマルチメディアコンテンツの種類別数量の比率を分析する段階と、
前記分析結果に従って前記比率に対応する所定の感性コードを生成する段階と、
前記生成された感性コードに対応する第２のマルチメディアコンテンツのリストを抽出する段階と、
前記リスト及び前記リストに含まれた第２のマルチメディアコンテンツのうち少なくとも１つを送信する段階と、を含むことを特徴とするマルチメディアコンテンツを提供する方法。
【請求項９】
前記種類は、ジャンル、年齢帯、時間、フィーリング、天気、状況、題目、アーティスト及び歌詞のうち少なくとも１つを含むことを特徴とする請求項８に記載のマルチメディアコンテンツを提供する方法。
【請求項１０】
前記分析する段階は、少なくとも１つ以上の前記種類に対する前記第１のマルチメディアコンテンツの数量の比率を分析する段階を含むことを特徴とする請求項９に記載のマルチメディアコンテンツを提供する方法。
【請求項１１】
前記感性コードは、前記種類別数量の比率で前記第１のマルチメディアコンテンツを含む前記アルバムまたは前記第１のマルチメディアコンテンツを登録したユーザに与えられることを特徴とする請求項８に記載のマルチメディアコンテンツを提供する方法。
【請求項１２】
前記生成された感性コードと類似する感性コードを所定のグループで構成し、前記グループに対するウェブサービスを生成する段階をさらに含むことを特徴とする請求項８に記載のマルチメディアコンテンツを提供する方法。
【請求項１３】
前記ウェブサービスは、オンライン対話及びマルチメディアコンテンツ共有を含むことを特徴とする請求項１２に記載のマルチメディアコンテンツを提供する方法。
【請求項１４】
前記グループに含まれた感性コードを持つユーザに前記ウェブサービスを送信する段階をさらに含むことを特徴とする請求項１２に記載のマルチメディアコンテンツを提供する方法。
【発明の詳細な説明】
【技術分野】
【０００１】
本発明は、マルチメディアコンテンツを提供する装置及び方法に関し、より詳しくは、検索ユーザが入力したコンテンツの種類別数量に対する比率に対応する所定の感性コードを用いて登録ユーザが登録した類似する感性コードのコンテンツまたはコンテンツのリストを抽出し、これを検索ユーザに提供するマルチメディアコンテンツを提供する装置及び方法に関する。
【背景技術】
【０００２】
データ圧縮技術及びネットワーク技術の発達により、ユーザはインターネット上で音楽ファイルなどのようなマルチメディアコンテンツの提供を受けることができるようになった。
【０００３】
マルチメディアコンテンツ提供システムは、マルチメディアコンテンツ提供装置とユーザ端末機を含んで構成されるが、マルチメディアコンテンツ提供装置は、ユーザ端末機から受信したキーワードに該当するマルチメディアコンテンツを提供したり、既に格納されている情報を参照して推薦対象になるマルチメディアコンテンツを提供する。
【０００４】
図１は、従来の検索によるマルチメディアコンテンツ提供を示す概念図である。
【０００５】
マルチメディアコンテンツ提供装置１１は、多様な種類のマルチメディアコンテンツを保有することができるが、音楽ファイルを提供するマルチメディアコンテンツ提供装置１１は、曲名、アーティスト、歌詞、発売日及びダウンロード回数などによるグループで音楽ファイル１５を保有することができる。
【０００６】
このとき、ユーザはユーザ端末機１２に所定のキーワードを入力するが、入力されたキーワードはマルチメディアコンテンツ提供装置１１に送信され、マルチメディアコンテンツ提供装置１１は受信したキーワードに対応する音楽ファイルを検索する。そして、マルチメディアコンテンツ提供装置１１は、検索結果に従って抽出された音楽ファイルをユーザ端末機１２に送信したり、音楽ファイルのリストをユーザ端末機１２に送信する。
【０００７】
これによって、ユーザはユーザ端末機１２を介して自分の好む音楽ファイルの提供を受けることができるようになる。
【０００８】
また、ユーザは、ユーザ端末機１２を介してマルチメディアコンテンツ提供装置１１のデータベースに接続して直接音楽ファイルを検索することもできる。
【０００９】
図２は、従来の推薦によるマルチメディアコンテンツ提供を示す概念図である。
【００１０】
マルチメディアコンテンツ提供装置２１は、多様なユーザ端末機２２から受信したキーワード及び検索メッセージなどを参照して各音楽ファイルに対する接近回数を確認し、更新されたマルチメディアコンテンツを確認することによって、ユーザに推薦音楽ファイル２５を提供することができる。
【００１１】
推薦音楽ファイル２５には推薦曲、最新曲及び最新アルバムなどが含まれるが、ユーザはユーザ端末機２２を介してマルチメディアコンテンツ提供装置２１に接続した後、推薦された音楽ファイル２５のうち１つまたは複数を選択して提供を受けることができる。
【００１２】
このように、マルチメディアコンテンツ提供装置２１は、ユーザによる検索または自分の推薦を用いてユーザにマルチメディアコンテンツを提供することができる。
【００１３】
しかし、検索によるマルチメディアコンテンツ提供は、ユーザに自分の好む音楽ファイルに対する情報があることを仮定する。従って、ユーザに自分の好む音楽ファイルに対する情報がない場合、検索のための情報を受信することができなかったマルチメディアコンテンツ提供装置１１は、音楽ファイルを提供することができなくなる。
【００１４】
また、推薦によるマルチメディアコンテンツ提供は、ユーザの嗜好にかかわらず、すべてのユーザに同じ音楽ファイルを提供するという短所がある。従って、ユーザは推薦によるマルチメディアコンテンツ提供を通じて自分の好む音楽ファイルの提供を受けることができないこともある。
【００１５】
特許文献１では、オンライン音楽サービスのために備えた多様な音楽ファイルに対する特徴要素を抽出してデータベースに音楽ファイルの特徴情報を格納し、ユーザ別の再生要求音楽ファイルに対する特徴情報を収集分析して、生成されたユーザ別の好み音楽に対する特徴情報値と最も類似する特徴情報値を有する音楽ファイルをウェブ上で検索して、検索された音楽ファイルを提供するユーザのリクエスト応答型音楽サービス方法を開示している。
【００１６】
しかし、これはユーザ別に与えられた特徴情報値を用いてそれに対応する音楽ファイルを提供するものであって、特徴情報値は前述した曲名、アーティスト、歌詞、発売日及びダウンロード回数などのような分類方法と同様である。
【００１７】
すなわち特徴情報値は、その分布が限定的なものであって、ユーザは限定的な音楽ファイルのみ提供を受けることができる。例えば、特徴情報値にバラードに対応する情報が含まれた場合、ユーザはバラード関連音楽ファイルのみ提供を受けることができる。
【００１８】
一方、一般的なユーザは多様なジャンルの音楽を好みつつ、特定ジャンルで好む音楽を有している。
【００１９】
したがって、ユーザが好む多様な種類の音楽ファイルを提供することができる方法の登場が要求される。
【先行技術文献】
【特許文献】
【００２０】
【特許文献１】韓国公開特許第２００３−０５９５０３号公報
【発明の概要】
【発明が解決しようとする課題】
【００２１】
本発明は、検索ユーザが入力したコンテンツの種類別数量に対する比率に対応する所定の感性コードを用いて登録ユーザが登録した類似する感性コードのコンテンツまたはコンテンツのリストを抽出し、これを検索ユーザに提供することにその目的がある。
【００２２】
本発明の目的は、以上で言及した目的に制限されず、言及していないさらなる目的は、下記によって当業者に明確に理解できる。
【課題を解決するための手段】
【００２３】
前記目的を果たすために、本発明の実施形態によるマルチメディアコンテンツを提供する装置は、所定のアルバムに含まれた第１のマルチメディアコンテンツの種類別数量の比率を分析する分析部と、前記分析結果に従って前記比率に対応する所定の感性コードを生成する感性コード生成部と、前記生成された感性コードに対応する第２のマルチメディアコンテンツのリストを抽出するコンテンツ抽出部及び前記リスト及び前記リストに含まれた第２のマルチメディアコンテンツのうち少なくとも１つを送信する送受信部とを含む。
【００２４】
本発明の実施形態によるマルチメディアコンテンツを提供する方法は、所定のアルバムに含まれた第１のマルチメディアコンテンツの種類別数量の比率を分析する段階と、前記分析結果に従って前記比率に対応する所定の感性コードを生成する段階と、前記生成された感性コードに対応する第２のマルチメディアコンテンツのリストを抽出する段階及び前記リスト及び前記リストに含まれた第２のマルチメディアコンテンツのうち少なくとも１つを送信する段階とを含む。
【発明の効果】
【００２５】
前記のような本発明のマルチメディアコンテンツを提供する装置及び方法によれば、次のような効果が１つあるいはそれ以上ある。
【００２６】
第一、検索ユーザが入力したコンテンツの種類別数量に対する比率に対応する所定の感性コードを用いて登録ユーザが登録した類似する感性コードのコンテンツまたはコンテンツのリストを抽出し、これを検索ユーザに提供することによって検索ユーザは自分の嗜好に合うコンテンツの提供を受けることができるという長所がある。
【００２７】
第二、類似する感性コードを持つユーザを別のグループで管理することによってユーザ嗜好に合うサービスを提供することができるという長所もある。
【図面の簡単な説明】
【００２８】
【図１】従来の検索によるマルチメディアコンテンツ提供を示す概念図である。
【図２】従来の推薦によるマルチメディアコンテンツ提供を示す概念図である。
【図３】本発明の実施形態によるマルチメディアコンテンツを提供する装置を示すブロック図である。
【図４】本発明の実施形態による感性コードを示す図である。
【図５Ａ】本発明の実施形態による感性コードによって格納された登録ユーザのリストを示す図である。
【図５Ｂ】本発明の実施形態による感性コードによって格納されたアルバムのリストを示す図である。
【図６】本発明の実施形態によるウェブサービスが提供されることを示す概念図である。
【図７】本発明の実施形態によるマルチメディアコンテンツを提供する過程を示すフローチャートである。
【発明を実施するための形態】
【００２９】
その他、実施形態の具体的な事項は詳細な説明及び図面に含まれている。
【００３０】
本発明の利点及び特徴、そしてそれらを達成する方法は、添付する図面と共に後述する実施形態を参照すれば明確になる。しかし、発明は以下にて開示する実施形態に限定されず、相異なる多様な形態で具現でき、単に本実施形態は本発明の開示を完全なものにし、本発明の属する技術分野における通常の知識を有する者に発明の範疇を完全に知らせるために提供されるものであり、本発明は請求項の範疇によってのみ定義される。明細書の全体にわたって同じ参照符号は同じ構成要素を示す。
【００３１】
以下、添付する図面を参照して本発明の好ましい実施形態を詳しく説明する。添付するブロック図の各ブロックとフローチャートの各段階の組み合わせは、コンピュータプログラムインストラクションによって行われることが理解できる。これらコンピュータプログラムインストラクションは、汎用コンピュータ、特殊用コンピュータまたはその他プログラム可能なデータプロセシング装備のプロセッサに搭載できるので、コンピュータまたはその他プログラム可能なデータプロセシング装備のプロセッサによって行われるインストラクションは、ブロック図の各ブロックまたはフローチャートの各段階で説明する機能を行う手段を生成するようになる。これらコンピュータプログラムインストラクションは、特定方式で機能を具現するために、コンピュータまたはその他プログラム可能なデータプロセシング装備に備えられるコンピュータによって利用可能またはコンピュータによって判読可能なメモリに格納できるので、そのコンピュータによって利用可能またはコンピュータによって判読可能なメモリに格納されたインストラクションは、ブロック図の各ブロックまたはフローチャートの各段階で説明する機能を行うインストラクション手段を含む製造品目を生産するのみ用いることも可能である。コンピュータプログラムインストラクションは、コンピュータまたはその他プログラム可能なデータプロセシング装備上に搭載できるので、コンピュータまたはその他プログラム可能なデータプロセシング装備上で一連の動作段階が行われ、コンピュータで実行されるプロセスを生成してコンピュータまたはその他プログラム可能なデータプロセシング装備の機能を行うインストラクションは、ブロック図の各ブロック及びフローチャートの各段階で説明する機能を実行するための段階を提供することも可能である。
【００３２】
また、各ブロックまたは各段階は、特定された論理的機能を行うための１つ以上の実行可能なインストラクションを含むモジュール、セグメントまたはコードの一部を示すことができる。また、複数の代替実施形態では、ブロックまたは段階で言及する機能が順序から外れて発生し得ることに注目しなければならない。例えば、連なって図示する２つのブロックまたは段階は、実質的に同時に行われることもでき、あるいはそのブロックまたは段階が時々該当する機能によって逆順に行われることもできる。
【００３３】
図３は、本発明の実施形態によるマルチメディアコンテンツを提供する装置を示すブロック図であって、マルチメディアコンテンツを提供する装置（以下、コンテンツ提供装置という）３００は、送受信部３１０、格納部３２０、分析部３３０、感性コード生成部３４０、コンテンツ抽出部３６０及びグループサービス生成部３５０を含んで構成される。
【００３４】
格納部３２０は、コンテンツリストを登録しようとするユーザ（以下、登録ユーザという）によって登録されたコンテンツリストを格納する役割をする。コンテンツリストに含まれるコンテンツは、マルチメディアコンテンツであって、オーディオコンテンツ、停止映像コンテンツ及び動画コンテンツを含む。
【００３５】
ここで、登録ユーザは、自分の好む一連のコンテンツリストを登録することができるが、以下、一連のコンテンツリストをアルバムという。すなわち登録ユーザは、自分が登録しようとするコンテンツリストの中で特定集合を１つのアルバムに登録することができ、このような過程により他のアルバムを登録することもできる。
【００３６】
したがって、１つのアルバムには１つまたは複数のコンテンツに対するリストが含まれ得る。
【００３７】
１つのアルバムには多様な種類のコンテンツに対するリストが含まれ得る。ここで、種類はマルチメディアの分類によるもの、またはコンテンツ自体の性格に応じる分類によるものであり得る。
【００３８】
例えば、マルチメディアの分類による多様な種類のコンテンツが含まれたアルバムにはオーディオコンテンツ、停止映像コンテンツ及び動画コンテンツが含まれ得、コンテンツ自体の性格に応じる分類による多様な種類のコンテンツが含まれたアルバムには多様なリズムのオーディオコンテンツ、多様な雰囲気の停止映像または多様なジャンルの動画が含まれ得る。
【００３９】
特に、オーディオコンテンツの場合、リズムだけでなく、別の分類方法が種類として使用できるが、例えば、ジャンル、年齢帯、時間、フィーリング、天気、状況、題目、アーティスト及び歌詞によるオーディオコンテンツが１つのアルバムに含まれ得る。
【００４０】
格納部３２０は、１つのアルバムに含まれたコンテンツの種類別数量の比率によってアルバムに所定の感性コードを対応させて格納することができる。例えば、アルバムに含まれたコンテンツがオーディオコンテンツであり、その種類がブルース、ジャズ、クラシック及び歌謡を含むジャンルの場合、全体オーディオコンテンツの数量の中で占めている各ジャンルの比率によって感性コードが与えられ、アルバムは与えられた感性コードに対応して格納できる。
【００４１】
また、格納部３２０は、登録ユーザのＩＤに感性コードを対応させて格納することもできる。例えば、特定登録ユーザが持つすべてのアルバムに含まれたコンテンツがオーディオコンテンツであり、その種類がブルース、ジャズ、クラシック及び歌謡を含むジャンルの場合、全体オーディオコンテンツの数量の中で占めている各ジャンルの比率によって感性コードが与えられ、登録ユーザのＩＤは与えられた感性コードに対応して格納される。
【００４２】
ここで、感性コードは、種類別数量の特定比率でコンテンツを含むアルバムまたは登録ユーザに与えられる識別情報であって、登録ユーザのアルバムに含まれたコンテンツの数量が異なってもその種類及び比率が同じ場合、互いに異なる登録ユーザによって登録されたアルバムの感性コードは同一であり得る。
【００４３】
以下、オーディオコンテンツを主に本発明を説明するが、これは単に一例であって、本発明の実施範囲に停止映像コンテンツ及び動画コンテンツも含まれることは言うまでもない。
【００４４】
種類の数は、コンテンツ提供装置３００の具現可否によって異なり、登録ユーザによって設定できる。
【００４５】
また、格納部３２０は、コンテンツリストに含まれたコンテンツを格納することもできる。これによって、アルバムを検索し、これを使用しようとするユーザ（以下、検索ユーザという）は、検索されたコンテンツリストによって該当するコンテンツに接近することができる。
【００４６】
格納部３２０は、ハードディスク、フラッシュメモリ、ＣＦカード（コンパクトフラッシュ（登録商標）カード）、ＳＤカード（セキュアデジタルカード）、ＳＭカード（スマートメディアカード）、ＭＭＣカード（マルチメディアカード）またはメモリスティックなど情報の入出力が可能なモジュールであって、装置の内部に備えることもでき、別の装置に備えることもできる。
【００４７】
分析部３３０は、検索ユーザによって入力されたコンテンツの種類別数量の比率を分析する役割をする。検索ユーザの端末機は、端末機内に格納されたコンテンツを検索してそのリストをコンテンツ提供装置３００に送信することができ、検索ユーザから直接コンテンツのリストを受信してコンテンツ提供装置３００に送信することもできる。
【００４８】
また、検索ユーザは、登録ユーザとして予め自分の好むコンテンツリストを登録して格納部３２０に格納することもできるが、分析部３３０は、格納部３２０に格納された検索ユーザのコンテンツリストを用いてコンテンツの種類別数量の比率を分析することができる。
【００４９】
種類は、ジャンル、年齢帯、時間、フィーリング、天気、状況、題目、アーティスト及び歌詞のうち少なくとも１つを含むが、分析部３３０は、１つのコンテンツリストに含まれたコンテンツに対する複数の種類による比率を分析することもできる。
【００５０】
例えば、分析部３３０は、リストに含まれたコンテンツに対してジャンルによる比率だけでなく、年齢帯によるコンテンツの数量の比率も分析することができるが、これによって、コンテンツに対するより詳細な分析が行われる。
【００５１】
分析部３３０は、格納部３２０に格納された登録ユーザのコンテンツリストに含まれたコンテンツの種類別数量の比率を分析することもできるが、分析部３３０は、登録ユーザによってコンテンツリストが登録されるとき、登録ユーザのコンテンツリストに対する分析を行うことができ、検索ユーザによって検索が行われるとき、登録ユーザのコンテンツリストに対する分析を行うこともできる。
【００５２】
感性コード生成部３４０は、分析部３３０の分析結果に従って算出された比率に対応する感性コードを生成する役割をする。
【００５３】
前述したように、分析部３３０は、１つまたは複数の種類に対するコンテンツの数量の比率を分析することができるが、これによって、感性コード生成部３４０は、１つの種類に対するコンテンツの数量の比率に対する感性コードを生成することができ、複数の種類に対するコンテンツの数量の比率に対するそれぞれの感性コードを生成した後、これを統合した１つの感性コードを生成することもできる。
【００５４】
感性コード生成部３４０は、分析部３３０による結果に従って感性コードを生成するが、これによって、検索ユーザのコンテンツリストに対する感性コードのみを生成するだけでなく、登録ユーザのコンテンツリストに対する感性コードも生成する。ここで、生成された感性コードに対応して登録ユーザのＩＤまたはアルバムが格納部３２０に格納されるものであって、対応するコンテンツリストは、登録ユーザのＩＤまたはアルバムに論理的に連結されて別に格納できる。
【００５５】
感性コードについて図４を参照して詳しく説明する。
【００５６】
コンテンツ抽出部３６０は、生成された感性コードに対応するコンテンツのリストを格納部３２０から抽出する役割をする。格納部３２０には登録ユーザのＩＤまたは登録ユーザのアルバムが感性コードに対応して格納されるが、コンテンツ抽出部３６０は、感性コード生成部３４０から伝達された検索ユーザの感性コードと類似する登録ユーザの感性コードを検索した後、検索された感性コードに対応して格納された登録ユーザのコンテンツリストを抽出したり、検索ユーザの感性コードと類似する登録ユーザのアルバムの感性コードを検索した後、検索された感性コードに対応して格納されたアルバムに含まれたコンテンツリストを抽出する。
【００５７】
ここで、コンテンツ抽出部３６０は、検索ユーザの感性コードと登録ユーザの感性コードまたは登録ユーザのアルバムの感性コードの間の類似度を算出した後、その類似度が臨界範囲に含まれる場合にのみ該当するコンテンツリストを抽出することができ、臨界範囲は検索ユーザによって決定できる。
【００５８】
送受信部３１０は、コンテンツ抽出部３６０によって抽出されたコンテンツリスト及びコンテンツリストに含まれたコンテンツのうち少なくとも１つを検索ユーザの端末機に送信する役割をする。
【００５９】
また、送受信部３１０は、登録ユーザから登録要請されたコンテンツリストを受信し、検索ユーザから検索要請されたコンテンツリストを受信する役割を行い、類似する感性コードを持つユーザに後述するウェブサービスを送信する役割をする。
【００６０】
送受信部３１０と登録ユーザの端末機または検索ユーザの端末機の間の通信方式は、イーサネット（登録商標）、ＵＳＢ、ＩＥＥＥ１３９４、直列通信及び並列通信のような有線通信方式が使用でき、赤外線通信、ブルートゥース、ホームＲＦ及び無線ランのような無線通信方式も使用できる。
【００６１】
グループサービス生成部３５０は、感性コード生成部３４０によって生成された感性コードの中で類似する感性コードを所定のグループで構成し、そのグループに対するウェブサービスを生成する役割をする。
【００６２】
ここで、ウェブサービスは、オンライン対話及びマルチメディアコンテンツ共有を含む。すなわち検索ユーザは、自分のアルバムまたは自分に与えられた感性コードと類似する感性コードのアルバムを持つ登録ユーザとオンライン対話をしたり、コンテンツを取り交わすことができる。
【００６３】
このために送受信部３１０は、グループに含まれた感性コードを持つ検索ユーザ及び登録ユーザに生成されたウェブサービスを送信するが、検索ユーザ及び登録ユーザは、コンテンツ提供装置３００を介してウェブサービスの提供を受けることができ、Ｐ２Ｐ（Ｐｏｉｎｔ−ｔｏ−Ｐｏｉｎｔ）方式を通じてウェブサービスの提供を受けることができる。
【００６４】
図４は、本発明の実施形態による感性コードを示す図面である。
【００６５】
前述したように、分析部３３０は、入力されたコンテンツの種類別数量の比率を分析する役割をする。ここで、コンテンツは、検索ユーザまたは登録ユーザによって入力されたコンテンツを意味する。
【００６６】
分析部３３０は、既に設定された種類に対するコンテンツの数量の比率を分析するが、設定された種類によってその比率４２０ａ，４２０ｂ，４２０ｃは異なり得る。例えば、一連のコンテンツリスト４１０が存在するとき、ブルース、ジャズ、クラシック及び歌謡に分類されたジャンルによるそのコンテンツ数量の比率は、３０、２０、１０、４０％であり得るが、同一のコンテンツリストに対して１０代、２０代、３０代及び４０代に分類された年齢帯によるそのコンテンツ数量の比率は２０、４０、３０、１０％であり得る。
【００６７】
すなわち種類によって比率４２０ａ，４２０ｂ，４２０ｃ及び感性コード４３０ａ，４３０ｂ，４３０ｃが異なり得る。これによって、本発明の分析部３３０は、１つの種類に対するコンテンツの数量の比率だけでなく、複数の種類に対するコンテンツの数量の比率４２０ａ，４２０ｂ，４２０ｃを分析することもできる。
【００６８】
分析された結果は感性コード生成部３４０に伝達し、感性コード生成部３４０は伝達された比率に対応する感性コードを生成する。すなわち各種類の比率に対する感性コード４３０ａ，４３０ｂ，４３０ｃを生成する。
【００６９】
そして、感性コード生成部３４０は、生成された各感性コード４３０ａ，４３０ｂ，４３０ｃを１つの感性コード４４０に統合するが、このように統合された感性コード４４０が登録ユーザまたは登録ユーザのアルバムに対する感性コードになることができる。
【００７０】
ここで、分析部３３０による分析条件である種類は、検索ユーザまたは登録ユーザによって設定できる。すなわち登録ユーザは、自分の好むコンテンツのリスト４１０を登録しながら種類を設定することができるが、分析部３３０は、登録ユーザによって設定された種類に対するコンテンツの数量の比率４２０ａ，４２０ｂ，４２０ｃを分析し、感性コード生成部３４０は、分析された結果に従って統合感性コード４４０を生成する。
【００７１】
また、検索ユーザも自分の好むコンテンツのリスト４１０を入力しながら種類を設定することができるが、分析部３３０は、検索ユーザによって設定された種類に対するコンテンツの数量の比率４２０ａ，４２０ｂ，４２０ｃを分析し、感性コード生成部３４０は、分析された結果に従って統合感性コード４４０を生成する。
【００７２】
ここで、検索ユーザによって設定された種類と登録ユーザによって設定された種類が異なることができるが、検索ユーザは登録ユーザによって登録されたコンテンツリストに対しても自分が設定した種類によって感性コードが生成されるようにして自分の感性コードと比較されるようにすることができ、登録ユーザによって設定された種類による感性コードと検索ユーザによって設定された種類による感性コードが比較されるようにすることもできる。
【００７３】
各種類による感性コードの形態４３０ａ，４３０ｂ，４３０ｃと統合感性コード４４０の形態は、感性コード生成部３４０の具現可否によって異なることができ、その形態が互いに同一であるかまたは異なることもできる。
【００７４】
例えば、感性コード４３０ａ，４３０ｂ，４３０ｃの形態がアルファベット文字であるＡ〜Ｚであることができるが、各種類による感性コード４３０ａ，４３０ｂ，４３０ｃの形態と統合感性コード４４０の形態が異なる場合、４つの種類による感性コード４３０ａ，４３０ｂ，４３０ｃがそれぞれＢ、Ａ、Ｈ、Ｑであれば統合感性コード４４０はＢＡＨＱであることができる。
【００７５】
一方、各種類による感性コード４３０ａ，４３０ｂ，４３０ｃの形態と統合感性コード４４０の形態が同一である場合、各種類による感性コード４３０ａ，４３０ｂ，４３０ｃがＢ、Ａ、Ｈ、Ｑであれば感性コード生成部３４０はＢ、Ａ、Ｈ、Ｑを統合した１つの感性コード４４０であるＤを生成することができる。
【００７６】
ここで、分析部３３０による分析条件である種類がユーザによって互いに異なって適用するでき、種類の数量もユーザによって互いに異なって適用できるので、各種類による感性コード４３０ａ，４３０ｂ，４３０ｃの形態と統合感性コード４４０の形態は互いに同一であることが好ましい。これによって、種類及び種類の数量に関係なく感性コードが互いに比較できる。
【００７７】
図５Ａは、本発明の実施形態による感性コードによって格納された登録ユーザのリストを示す図面である。
【００７８】
コンテンツ提供装置３００の格納部３２０には感性コードによる登録ユーザのＩＤが格納できる。すなわち格納部３２０は、類似する感性コードを持つ複数の登録ユーザを１つのグループで形成した後に該当する感性コードに対応させて各登録ユーザのＩＤ５１０ａ，５２０ａ，５３０ａを格納する。
【００７９】
これによって、コンテンツ抽出部３６０は、格納部３２０に格納された感性コードの中で検索ユーザの感性コードと類似する感性コードに対応して格納された登録ユーザのコンテンツリストを抽出することができるようになる。
【００８０】
また、グループサービス生成部３５０は、類似する感性コードを持つユーザのためのグループサービスを生成するが、このように生成されたグループサービスは、類似する感性コードを持つ検索ユーザにも送信できる。
【００８１】
図５Ｂは、本発明の実施形態による感性コードによって格納されたアルバムのリストを示す図面である。
【００８２】
コンテンツ提供装置３００の格納部３２０には感性コードによる登録ユーザのアルバムが格納できる。すなわち格納部３２０は、類似する感性コードを持つ登録ユーザのアルバムを１つのグループで形成した後に該当する感性コードに対応させてアルバム５１０ｂ，５２０ｂ，５３０ｂを格納する。
【００８３】
これによって、コンテンツ抽出部３６０は、格納部３２０に格納された感性コードの中で検索ユーザの感性コードと類似する感性コードに対応して格納された登録ユーザのアルバム５１０ｂ，５２０ｂ，５３０ｂに含まれたコンテンツリストを抽出することができるようになる。
【００８４】
また、登録ユーザのアルバム５１０ｂ，５２０ｂ，５３０ｂに含まれたコンテンツリストの提供を受ける検索ユーザは、該当する感性コードを持つユーザのために生成されたグループサービスの提供を受けることもできる。
【００８５】
図６は、本発明の実施形態によるウェブサービスが提供されることを示す概念図である。
【００８６】
コンテンツ提供装置３００のグループサービス生成部３５０は、類似する感性コードを持つユーザグループに対するウェブサービス６１０，６２０，６３０を生成する。このように生成されたウェブサービス６１０，６２０，６３０は、送受信部３１０を介してログインしたユーザのユーザ端末機６００に送信される。
【００８７】
したがって、検索ユーザは、自分のコンテンツリストに対応する感性コードを受けた後に該当する感性コードに対応するウェブサービス６１０，６２０，６３０の提供を受けることができ、登録ユーザもログインすることによって自分の感性コードに対応するウェブサービス６１０，６２０，６３０の提供を受けることができる。
【００８８】
ウェブサービス６１０，６２０，６３０にはオンライン対話及びコンテンツ共有が含まれるが、類似する感性コードを持つユーザは、互いにオンライン対話をすることができ、自分が持っているコンテンツまたはコンテンツのリストを共有することができる。ここで、コンテンツの共有は、コンテンツの直接的な交換のみを意味するだけでなく、ストリーミングの交換も含み得る。すなわちグループに含まれた特定ユーザは、他のユーザに自分のコンテンツを用いたストリーミングサービスを行うことができる。
【００８９】
一方、ウェブサービス６１０，６２０，６３０は、類似する感性コードを持つユーザに提供されるグループサービスであるので、もしユーザが自分のコンテンツリストを修正することによって感性コードが変更されれば、そのユーザに提供されるウェブサービス６１０，６２０，６３０のグループも変更できる。
【００９０】
コンテンツ提供装置３００のグループサービス生成部３５０は、類似する感性コードを持つアルバムグループに対するウェブサービス６１０，６２０，６３０を生成することもできる。このように生成されたウェブサービス６１０，６２０，６３０は、送受信部３１０を介して該当するアルバムを持つユーザに送信される。
【００９１】
アルバムに対応して生成された感性コードは、単に該当するアルバム（以下、第１のアルバムという）にのみ依存するので、ユーザの他のアルバム（以下、第２のアルバムという）に含まれたコンテンツリストの変更は、第１のアルバムに対応する感性コードの変更に影響しない。
【００９２】
すなわちユーザは、第２のアルバムに含まれたコンテンツリストを変更することによって第２のアルバムに対応して変更されたウェブサービスの提供を受けることができ、第１のアルバムに対応した既存のウェブサービス提供をそのまま受けることもできる。
【００９３】
図７は、本発明の実施形態によるマルチメディアコンテンツを提供する過程を示すフローチャートである。
【００９４】
検索ユーザにマルチメディアコンテンツを提供するためにコンテンツ提供装置３００の送受信部３１０は、まず登録ユーザからコンテンツリストを受信する（Ｓ７１０）。
【００９５】
受信した登録ユーザのコンテンツリストは分析部３３０に伝達され、分析部３３０はコンテンツリストに含まれたコンテンツの種類別数量の比率を分析する（Ｓ７１５）。ここで、種類はジャンル、年齢帯、時間、フィーリング、天気、状況、題目、アーティスト及び歌詞のうち少なくとも１つを含むことができる。
【００９６】
また、分析部３３０は、登録ユーザのコンテンツリストに含まれたコンテンツに対する複数の種類による比率を分析することもできる。例えば、分析部３３０は、コンテンツリストに含まれたコンテンツに対してジャンルによる比率だけでなく、年齢帯によるコンテンツの数量の比率も分析することができる。
【００９７】
分析部３３０による分析結果は感性コード生成部３４０に伝達され、感性コード生成部３４０は伝達された分析結果に対応する感性コードを生成する（Ｓ７２０）。そして、感性コード生成部３４０は、生成された感性コードに対応するコンテンツリストを格納部３２０に格納するが、このとき、登録ユーザのＩＤまたは登録ユーザが登録したアルバムは、感性コードに対応して格納される（Ｓ７２５）。ここで、感性コードに対応して格納されるアルバムは単にアルバム名のみ格納できるが、アルバムに含まれるコンテンツリストは登録ユーザのＩＤまたはアルバムに論理的に連結されて別に格納できる。
【００９８】
登録ユーザのコンテンツリストを格納した後、送受信部３１０は検索ユーザからコンテンツリストを受信する（Ｓ７３０）。
【００９９】
そして、受信した検索ユーザのコンテンツリストは分析部３３０に伝達され、分析部３３０はコンテンツリストに含まれたコンテンツの種類別数量の比率を分析する（Ｓ７３５）。
【０１００】
一方、検索ユーザのコンテンツリストは、送受信部３１０を介して受信されたものであり得、検索ユーザが予め登録ユーザとして登録した自分のコンテンツリストでもあり得る。従って、予め登録したコンテンツリストが分析対象である場合、分析部３３０は検索ユーザのログインによって格納部３２０を検索し、検索ユーザのＩＤに該当するコンテンツリストを抽出して分析を行うことができる。
【０１０１】
そして、分析部３３０は、検索ユーザのコンテンツリストに含まれたコンテンツに対する複数の種類による比率を分析することもできるが、これに関する説明は前述したので省略する。
【０１０２】
分析部３３０による分析結果は感性コード生成部３４０に伝達され、感性コード生成部３４０は伝達された分析結果に対応する感性コードを生成する（Ｓ７４０）。
【０１０３】
生成された感性コードはコンテンツ抽出部３６０に伝達され、コンテンツ抽出部３６０は格納部３２０を検索して伝達された感性コードに対応する登録ユーザのＩＤまたはアルバムを抽出し、該当する登録ユーザのＩＤまたはアルバムに対応するコンテンツリストを抽出する（Ｓ７４５）。
【０１０４】
そして、抽出されたコンテンツリストは送受信部３１０を介して検索ユーザの端末機に送信される（Ｓ７５０）。
【０１０５】
一方、登録ユーザまたは検索ユーザの感性コードが生成されることによってグループサービス生成部３５０は該当する感性コードに対応するウェブサービスを生成する（Ｓ７５５）。ウェブサービスにはオンライン対話及びマルチメディアコンテンツ共有が含まれ得るが、生成されたウェブサービスは送受信部３１０を介して該当する感性コードに対応するユーザに送信できる（Ｓ７６０）。
【０１０６】
これによって、ウェブサービスを受信した登録ユーザまたは検索ユーザは類似する感性コードを受けたユーザとしてオンライン対話を取り交わしたり、マルチメディアコンテンツを互いに共有することができる。
【０１０７】
以上、添付する図面を参照して本発明の実施形態を説明したが、本発明の属する技術分野における通常の知識を有する者は、本発明がその技術的思想や必須的な特徴を変更せずに他の具体的な形態で実施できることを理解することができる。したがって、以上で記述した実施形態はすべての面で例示的なものであって、限定的なものではないことを理解しなければならない。
【符号の説明】
【０１０８】
３１０  送受信部
３２０  格納部
３３０  分析部
３４０  感性コード生成部
３５０  グループサービス生成部
３６０  コンテンツ抽出部
【図１】
2011060302.tif 000003
【図２】
2011060302.tif 000004
【図３】
2011060302.tif 000005
【図４】
2011060302.tif 000006
【図５Ａ】
2011060302.tif 000007
【図５Ｂ】
2011060302.tif 000008
【図６】
2011060302.tif 000009
【図７】
2011060302.tif 000010